(57)【要約】【課題】  ペットボトル等の飲料ボトルの開口円筒部に装着したときに、小物類収納用の収容部を形成することのできる飲料ボトル装着用収容ケースアタッチメントと、それを用いた飲料ボトルを提供する。【解決手段】  筒状部３には、その内部空間を軸方向に区分する仕切壁４ａが設けられている。突出側の開口をボトルキャップＣで閉鎖することにより、筒状部３の内部には、仕切壁４ａを底とし、小物類（例えば抽出用の茶葉Ｔ）を収納するための収容空間４ｂを有する収容部４が形成される。取付け円筒部１の雌ねじ部２が開口円筒部Ｎの雄ねじ部ＢＳに螺合したとき、仕切壁４ａはペットボトルＢの上部開口を閉鎖する機能を有する。ボトルキャップＣは、筒状部３の突出側に形成される開口及び収容空間４ｂを閉鎖する機能を有している。【選択図】  図１
0003164925.tif 000002
【実用新案登録請求の範囲】
【請求項１】
ペットボトル等の飲料ボトルの上部に開口として形成された開口円筒部に着脱可能に装着される飲料ボトル装着用収容ケースアタッチメントであって、
前記飲料ボトルの開口円筒部の外周面に形成された雄ねじ部に螺合する雌ねじ部が内周面に形成された取付け円筒部と、
前記開口円筒部に装着された取付け円筒部から一体的に外向きに突出する筒状部と、
前記筒状部の突出側に形成される開口を閉鎖するために、前記筒状部と一体的に又は別体に形成された蓋部と、
を備え、
前記筒状部には、その内部空間を軸方向に区分する仕切壁が設けられるとともに、その仕切壁を底とし、突出側の開口を前記蓋部で閉鎖することにより、飲食品、栄養補助食品、医薬品、硬貨、小型医療器具等の小物類を収納することのできる収容部が形成されることを特徴とする飲料ボトル装着用収容ケースアタッチメント。
【請求項２】
前記仕切壁は、前記取付け円筒部の雌ねじ部が前記開口円筒部の雄ねじ部に螺合したとき、前記飲料ボトルの上部開口を閉鎖する請求項１に記載の飲料ボトル装着用収容ケースアタッチメント。
【請求項３】
前記収容部が前記仕切壁と所定の収容空間とを有する区画筒状部を形成するとき、前記筒状部は、複数の区画筒状部が軸方向に積層された状態で前記飲料ボトルの開口円筒部に装着される請求項１又は２に記載の飲料ボトル装着用収容ケースアタッチメント。
【請求項４】
隣り合う前記区画筒状部には、互いに分離可能に一体化するために、螺合によって嵌合するねじ嵌合部がそれぞれ形成されている請求項３に記載の飲料ボトル装着用収容ケースアタッチメント。
【請求項５】
前記区画筒状部の外周面には、隣接する区画筒状部と螺合する際に手指を掛けるための区画指掛部が形成されている請求項４に記載の飲料ボトル装着用収容ケースアタッチメント。
【請求項６】
隣り合う前記区画筒状部には、互いに分離可能に一体化するために、弾性変形によって嵌合する区画嵌合部がそれぞれ形成されている請求項３に記載の飲料ボトル装着用収容ケースアタッチメント。
【請求項７】
前記区画筒状部の外周面には、隣接する区画筒状部との嵌合を解除する際に手指で把持するための区画把持部が形成されている請求項６に記載の飲料ボトル装着用収容ケースアタッチメント。
【請求項８】
隣り合う前記区画筒状部は、周方向の所定位置において区画連結部を介して一体的に連結され、その区画連結部を支点にして回動することにより前記区画嵌合部の嵌合を解除する請求項６又は７に記載の飲料ボトル装着用収容ケースアタッチメント。
【請求項９】
前記筒状部の突出側端部及び前記蓋部には、互いに分離可能に一体化するために、弾性変形によって嵌合する嵌合部がそれぞれ形成されている請求項１ないし８のいずれか1項に記載の飲料ボトル装着用収容ケースアタッチメント。
【請求項１０】
前記蓋部の外面には、前記筒状部との嵌合を解除する際に手指で把持するための把持部が形成されている請求項９に記載の飲料ボトル装着用収容ケースアタッチメント。
【請求項１１】
前記蓋部は、周方向の所定位置において前記筒状部の突出側端部と連結部を介して一体的に連結され、その連結部を支点にして回動することにより前記筒状部の突出側開口を開閉する請求項９又は１０に記載の飲料ボトル装着用収容ケースアタッチメント。
【請求項１２】
前記筒状部の突出側端部の外周面には、前記蓋部の内周面に形成される雌ねじ部と螺合する雄ねじ部が形成されている請求項１ないし８のいずれか1項に記載の飲料ボトル装着用収容ケースアタッチメント。
【請求項１３】
前記蓋部の外面には、前記筒状部の雄ねじ部と前記蓋部の雌ねじ部とを螺合する際に、手指を掛けるための指掛部が形成されている請求項１２に記載の飲料ボトル装着用収容ケースアタッチメント。
【請求項１４】
前記蓋部は、前記飲料ボトルのボトルキャップ又は専用のキャップである請求項１２又は１３に記載の飲料ボトル装着用収容ケースアタッチメント。
【請求項１５】
前記開口円筒部の外周面に形成された雄ねじ部に、請求項１４に記載された飲料ボトル装着用収容ケースアタッチメントの前記取付け円筒部の内周面に形成された雌ねじ部を螺合させるとともに、前記飲料ボトル装着用収容ケースアタッチメントの前記筒状部の外周面に形成された雄ねじ部に前記ボトルキャップ又は専用のキャップを螺合させるアタッチメント形態と、
前記開口円筒部の外周面に形成された雄ねじ部に前記ボトルキャップを螺合させる本来の形態とに、
使用時の形態を変更可能であることを特徴とする飲料ボトル。
【請求項１６】
前記開口円筒部の外周面に形成された雄ねじ部に螺合する雌ねじ部が内周面に形成された雌ねじ付き円筒部と、
その雌ねじ付き円筒部からこれと同心的かつ一体的に、しかも該雌ねじ付き円筒部の雌ねじ部が前記開口円筒部の雄ねじ部に螺合した状態で該開口円筒部の内側に位置する外周面を有して前記開口円筒部の内部に向かって延び、内外間において液体の進入を許容しつつ一定以上の大きさの固体の通過を阻止する本体部と、
前記雌ねじ付円筒部からこれと同心的かつ一体的に、前記本体部とは反対へ突出し、前記飲料ボトルのボトルキャップ又は専用のキャップが螺合される雄ねじ部が外周面に形成された開口形成円筒部と、
を有する飲料ボトル装着用飲用アタッチメントを備えるとともに、
付加的なアタッチメント形態として、前記開口円筒部の雄ねじ部に、前記飲料ボトル装着用飲用アタッチメントの前記雌ねじ付き円筒部の雌ねじ部を螺合させ、さらに、前記飲料ボトル装着用飲用アタッチメントの前記開口形成円筒部の雄ねじ部に、前記飲料ボトル装着用収容ケースアタッチメントの前記取付け円筒部の雌ねじ部を螺合させるとともに、前記飲料ボトル装着用収容ケースアタッチメントの前記筒状部の雄ねじ部に前記ボトルキャップ又は専用のキャップを螺合させることが可能である請求項１５に記載の飲料ボトル。
【考案の詳細な説明】
【技術分野】
【０００１】
本考案は、例えば、ペットボトル（ＰＥＴ（ポリエチレンテレフタレート）樹脂製容器）のようなプラスチック材料製の飲料ボトルや、スチール缶、アルミ缶のような金属材料製の飲料ボトルの開口部に装着される飲料ボトル装着用収容ケースアタッチメントと、その飲料ボトル装着用収容ケースアタッチメントを用いた飲料ボトルに関する。
【背景技術】
【０００２】
ペットボトルの上部に開口として形成された開口円筒部に着脱可能に装着される、アタッチメント式の小物容器が知られている（特許文献１参照）。例えば、マスコットキャラクター付き蓋部材をペットボトルの開口円筒部にねじ嵌合すれば、ペットボトルキャップの代わりとして使用でき、また、その蓋部材と容器本体とをねじ嵌合すれば、小物入れとしても使用できる。
【先行技術文献】
【特許文献】
【０００３】
【特許文献１】登録実用新案第３０８６１０３号公報
【０００４】
しかし、特許文献１の蓋部材をペットボトルの開口円筒部に装着したときには、小物入れとしての機能を有さず、一方、蓋部材を容器本体に装着したときには、ペットボトルのキャップとしての機能を有しない。このように、特許文献１の蓋部材は、キャップとしての機能と小物入れとしての機能とのうち、いずれか一方の単機能しか発揮できない。したがって、特許文献１の蓋部材をペットボトルのキャップとして使用するときには、同時に小物入れとして使用することはできないから、例示されるようなシールやアクセサリーをペットボトルとともに携行したり保管したりできない難点がある。
【考案の概要】
【考案が解決しようとする課題】
【０００５】
本考案の課題は、ペットボトル等の飲料ボトルの開口円筒部に装着したときに、小物類収納用の収容部を形成することのできる飲料ボトル装着用収容ケースアタッチメントと、それを用いた飲料ボトルを提供することにある。
【課題を解決するための手段及び考案の効果】
【０００６】
上記課題を解決するために、本考案の飲料ボトル装着用収容ケースアタッチメントは、
ペットボトル等の飲料ボトルの上部に開口として形成された開口円筒部に着脱可能に装着される飲料ボトル装着用収容ケースアタッチメントであって、
前記飲料ボトルの開口円筒部の外周面に形成された雄ねじ部に螺合する雌ねじ部が内周面に形成された取付け円筒部と、
前記開口円筒部に装着された取付け円筒部から一体的に外向きに突出する筒状部と、
前記筒状部の突出側に形成される開口を閉鎖するために、前記筒状部と一体的に又は別体に形成された蓋部と、
を備え、
前記筒状部には、その内部空間を軸方向に区分する仕切壁が設けられるとともに、その仕切壁を底とし、突出側の開口を前記蓋部で閉鎖することにより、飲食品、栄養補助食品、医薬品、硬貨、小型医療器具等の小物類を収納することのできる収容部が形成されることを特徴とする。
【０００７】
このように、上記アタッチメントは、飲料ボトルにおけるボトルキャップの代役としての機能と、小物類を収納する機能とを同時に達成することができる。したがって、小物類を飲料ボトルとともに携行したり保管したりできるので、利便性が向上するとともに、小物類の紛失を防止することもできる。さらに、このようなアタッチメントには、通常のボトルキャップとは異なる特殊なデザイン形状や色彩を付加することも容易である。それによって、例えば、オリジナルマイボトル運動やボトルキャップ回収運動の一層の促進を図り、ペットボトル等の飲料ボトルやボトルキャップの再利用効率を高め、資源の有効活用に資することができる。
【０００８】
なお、筒状部に形成される収容部（収容ケース）には、例えば次のような小物類を収納することができる。
（１）茶葉等の抽出用食品、キャンディ等のおやつを含む飲食品（つまり、飲食品ケースとして）；
（２）ビタミン、ミネラル、プロテイン等の栄養補助食品（つまり、サプリメントケースとして）；
（３）錠剤、カプセル等の医薬品（つまり、ピルケースとして）；
（４）硬貨（つまり、コインケースとして）；
（５）コンタクトレンズ、補聴器等の小型医療器具（つまり、ヘルスケアケースとして）；
（６）クリップ、画鋲等の小型事務用品（つまり、ステーショナリケースとして）；
（７）イアリング、ピアス等の身飾り品（つまり、アクセサリケースとして）。
【０００９】
そして、仕切壁は、取付け円筒部の雌ねじ部が開口円筒部の雄ねじ部に螺合したとき、飲料ボトルの上部開口を閉鎖する状態となるのが望ましい。
【００１０】
仕切壁が飲料ボトルの上部開口を完全閉鎖することにより、ボトルキャップと同様に、飲料ボトル内の液体の外部への漏れ出しを阻止できるので、上記小物類を収容部へ安全に収納できる。
【００１１】
これらの飲料ボトル装着用収容ケースアタッチメントにおいて、収容部が仕切壁と所定の収容空間とを有する区画筒状部を形成するとき、複数の区画筒状部が軸方向に積層された状態で、筒状部を飲料ボトルの開口円筒部に装着することができる。
【００１２】
これによって、複数の小物類を異なる区画筒状部にそれぞれ収納できるので、あたかも整理ダンスのように小物類を種類別・品目別に仕分けして保管することができる。なお、複数（例えば２個）の区画筒状部を形成するに当たっては、予め全体としての筒状部の大きさ（軸方向長さ又は容積）を決め、仕切壁によって筒状部をさらに軸方向に区分して複数の区画筒状部に細分化する場合と、予め大きさ（軸方向長さ又は容積）の決められた区画筒状部を軸方向に積み上げることによって、全体を筒状部に構成する場合とがある。
【００１３】
例えば、具体的な一態様として、隣り合う区画筒状部には、互いに分離可能に一体化するために、螺合によって嵌合するねじ嵌合部をそれぞれ形成することができる。
【００１４】
ねじ嵌合部を着脱する（螺合したり螺合解除したりする）ことによって、隣り合う区画筒状部の取付け・取外しが容易に行える。これによって、小物類の出し入れが容易に行えるとともに、飲料ボトルに装着する区画筒状部の数を必要数（使用数）に応じて増減することも可能となるので、利便性がさらに向上する。なお、ねじ嵌合部は、隣り合う区画筒状部のうち、一方の区画筒状部の外周面に雄ねじ、他方の区画筒状部の内周面に雌ねじを刻設することによって形成される。
【００１５】
この場合、区画筒状部の外周面には、隣接する区画筒状部と螺合する際に手指を掛けるための区画指掛部を形成してもよい。
【００１６】
区画筒状部の外周面に区画指掛部を形成することによって、隣接する区画筒状部との螺合（又は螺合解除）操作が容易に行える。なお、区画指掛部は、例えば次のように形成される。
（１）区画筒状部の外周面に形成される、ローレットのような刻み目(ギザギザ)；
（２）周方向において全体的に又は部分的に、区画筒状部の外周面から半径方向外方へ向かって膨出する区画膨出部。
【００１７】
また、他の態様として、隣り合う区画筒状部には、互いに分離可能に一体化するために、弾性変形によって嵌合する区画嵌合部をそれぞれ形成することができる。
【００１８】
区画嵌合部を着脱する（嵌合したり嵌合解除したりする）ことによって、隣り合う区画筒状部の取付け・取外しがワンタッチで行える。したがって、小物類の出し入れが容易に行えるとともに、飲料ボトルに装着する区画筒状部の数を必要数（使用数）に応じて増減することも可能となるので、利便性がさらに向上する。なお、「弾性変形による嵌合」とは、少なくとも一部が接触することによって弾性変形し、その後弾性復帰することで嵌合状態が維持できればよく、区画嵌合部は次のいずれの方式で形成してもよい。
（１）隣り合う区画筒状部のうち、一方の区画筒状部の内周面と他方の区画筒状部の外周面とが嵌合する周面嵌合方式；
（２）隣り合う区画筒状部のうち、一方の区画筒状部の端面において周方向に連続的又は断続的に形成された凸部と、他方の区画筒状部の端面において周方向に連続的又は断続的に形成された凹部とが嵌合する端面嵌合方式。
【００１９】
この場合、区画筒状部の外周面には、隣接する区画筒状部との嵌合を解除する際に手指で把持するための区画把持部を形成してもよい。
【００２０】
区画筒状部の外周面に区画把持部を形成することによって、隣接する区画筒状部との嵌合解除操作が容易に行える。なお、区画把持部は、例えば、周方向において全体的に又は部分的に、区画筒状部の外周面から半径方向外方へ向かって突出する区画突出部として形成される。
【００２１】
あるいは、隣り合う区画筒状部は、周方向の所定位置において区画連結部を介して一体的に連結され、その区画連結部を支点にして回動することにより区画嵌合部の嵌合を解除してもよい。
【００２２】
隣り合う区画筒状部の間に区画連結部を形成することによって、区画嵌合部の嵌合解除操作に伴い、いずれかの区画筒状部を散逸することがない。なお、区画連結部は、ヒンジ（蝶番）で構成したり、柔軟性を有する帯状、紐状の区画連結体で構成したりすることができる。
【００２３】
ところで、以上のような飲料ボトル装着用収容ケースアタッチメントにおいて、さらに異なる態様として、筒状部の突出側端部及び蓋部には、互いに分離可能に一体化するために、弾性変形によって嵌合する嵌合部をそれぞれ形成することができる。
【００２４】
嵌合部を着脱する（嵌合したり嵌合解除したりする）ことによって、蓋部の取付け・取外しがワンタッチで行える。したがって、小物類の出し入れが容易に行え、利便性がさらに向上する。なお、「弾性変形による嵌合」とは、少なくとも一部が接触することによって弾性変形し、その後弾性復帰することで嵌合状態が維持できればよく、嵌合部は次のいずれの方式で形成してもよい。
（１）筒状部の突出側端部と蓋部とのうち、一方の内周面と他方の外周面とが嵌合する周面嵌合方式（以下の２タイプがある）；
（１−１）蓋部の内周面と筒状部の外周面とが嵌合するなつめ（棗）蓋タイプ；
（１−２）筒状部の内周面と蓋部の外周面とが嵌合する落し蓋タイプ；
（２）筒状部の突出側端部と蓋部とのうち、一方の端面において周方向に連続的又は断続的に形成された凸部と、他方の端面において周方向に連続的又は断続的に形成された凹部とが嵌合する端面嵌合方式。
【００２５】
この場合、蓋部の外面には、筒状部との嵌合を解除する際に手指で把持するための把持部を形成してもよい。
【００２６】
蓋部の外面に把持部を形成することによって、蓋部の嵌合解除操作が容易に行える。なお、把持部は、例えば、周方向において全体的に又は部分的に、蓋部の外周面から半径方向外方へ向かって突出する突出部として形成される。
【００２７】
あるいは、蓋部は、周方向の所定位置において筒状部の突出側端部と連結部を介して一体的に連結され、その連結部を支点にして回動することにより筒状部の突出側開口を開閉してもよい。
【００２８】
筒状部の突出側端部と蓋部との間に連結部を形成することによって、嵌合部の嵌合解除操作に伴い、蓋部を散逸することがない。なお、連結部は、ヒンジ（蝶番）で構成したり、柔軟性を有する帯状、紐状の連結体で構成したりすることができる。
【００２９】
また、別の態様として、筒状部の突出側端部の外周面には、蓋部の内周面に形成される雌ねじ部と螺合する雄ねじ部を形成することができる。
【００３０】
蓋部の雌ねじ部と筒状部の突出側端部の雄ねじ部とを着脱する（螺合したり螺合解除したりする）ことによって、蓋部の取付け・取外しが容易に行える。したがって、小物類の出し入れが容易に行え、利便性がさらに向上する。
【００３１】
この場合、蓋部の外面には、筒状部の雄ねじ部と蓋部の雌ねじ部とを螺合する際に、手指を掛けるための指掛部を形成してもよい。
【００３２】
蓋部の外面に指掛部を形成することによって、蓋部の螺合（又は螺合解除）操作が容易に行える。なお、指掛部は、例えば次のように形成される。
（１）蓋部の外周面に形成される、ローレットのような刻み目(ギザギザ)；
（２）周方向において全体的に又は部分的に、蓋部の外周面から半径方向外方へ向かって膨出する膨出部。
【００３３】
上記態様において、蓋部は、飲料ボトルのボトルキャップ又は専用のキャップであることが望ましい。
【００３４】
筒状部の突出側端部（の開口）を閉鎖する蓋部を飲料ボトルのボトルキャップ又は専用のキャップとすることによって、飲料ボトル装着用収容ケースアタッチメントの汎用性を高めることができる。
【００３５】
そして、上記課題を解決するために、本考案の飲料ボトルは、
前記開口円筒部の外周面に形成された雄ねじ部に、上記した飲料ボトル装着用収容ケースアタッチメントの前記取付け円筒部の内周面に形成された雌ねじ部を螺合させるとともに、前記飲料ボトル装着用収容ケースアタッチメントの前記筒状部の外周面に形成された雄ねじ部に前記ボトルキャップ又は専用のキャップを螺合させるアタッチメント形態と、
前記開口円筒部の外周面に形成された雄ねじ部に前記ボトルキャップを螺合させる本来の形態とに、
使用時の形態を変更可能であることを特徴とする。
【００３６】
このように、飲料ボトル装着用収容ケースアタッチメントとボトルキャップ（又は専用のキャップ）を共用するだけの簡素な構成によって、アタッチメント形態と本来の形態とに変更可能となり、利便性が向上する。また、オリジナルマイボトル運動やボトルキャップ回収運動の一層の促進を図り、ペットボトル等の飲料ボトルやボトルキャップの再利用効率を高め、資源の有効活用に資することができる。
【００３７】
さらには、上記飲料ボトルにおいて、
開口円筒部の外周面に形成された雄ねじ部に螺合する雌ねじ部が内周面に形成された雌ねじ付き円筒部と、
その雌ねじ付き円筒部からこれと同心的かつ一体的に、しかも該雌ねじ付き円筒部の雌ねじ部が開口円筒部の雄ねじ部に螺合した状態で該開口円筒部の内側に位置する外周面を有して開口円筒部の内部に向かって延び、内外間において液体の進入を許容しつつ一定以上の大きさの固体の通過を阻止する本体部と、
雌ねじ付円筒部からこれと同心的かつ一体的に、本体部とは反対へ突出し、飲料ボトルのボトルキャップ又は専用のキャップが螺合される雄ねじ部が外周面に形成された開口形成円筒部と、
を有する飲料ボトル装着用飲用アタッチメントを備えるとともに、
付加的なアタッチメント形態として、開口円筒部の雄ねじ部に、飲料ボトル装着用飲用アタッチメントの雌ねじ付き円筒部の雌ねじ部を螺合させ、さらに、飲料ボトル装着用飲用アタッチメントの開口形成円筒部の雄ねじ部に、飲料ボトル装着用収容ケースアタッチメントの取付け円筒部の雌ねじ部を螺合させるとともに、飲料ボトル装着用収容ケースアタッチメントの筒状部の雄ねじ部にボトルキャップ又は専用のキャップを螺合させることが可能である。
【００３８】
このように、飲料ボトル装着用収容ケースアタッチメント、飲料ボトル装着用飲用アタッチメント及びボトルキャップ（又は専用のキャップ）の３者を共用するだけの簡素な構成によって、アタッチメント形態及び本来の形態に加えて、付加的なアタッチメント形態にも変更可能となり、利便性が一層向上する。つまり、付加的なアタッチメント形態では、飲料ボトル装着用収容ケースアタッチメント及びボトルキャップ（又は専用のキャップ）を取り外すことによって、飲料ボトル内の液体（例えば、飲料ボトル内で茶葉等の抽出用食品から抽出した抽出液）を飲料ボトル装着用飲用アタッチメントを介して飲用することができる。
【００３９】
具体的には、上記飲料ボトル装着用飲用アタッチメントが飲料ボトルの開口円筒部に装着された状態で、
（１）飲料ボトルの液中に浸漬された茶葉等の抽出用食品の残渣が液とともに飲料ボトル外へ流出しようとする際に本体部で残渣を捕獲して外部への流出を阻止するとともに液の流出を許容する。
（２）もしくは本体部内に隔離・収容された茶葉等の抽出用食品の成分が飲料ボトルの液中に抽出される。
（３）あるいは飲料ボトル内の液又は飲料ボトルに注入される液の改質のための液改質材が本体部内に隔離・収容され、その液改質材に触れつつ飲料ボトルに液が注入され又は液が流出する。
【００４０】
なお、抽出用食品には、例えば、緑茶、紅茶、ウーロン茶、ハーブ茶、柿の葉茶といった茶葉等を含み、水出し（低温抽出）、お湯出し（高温抽出）、いずれも可能である。また、液改質材には、麦飯石、セラミックボール、活性炭等を含む。そして、これらの抽出用食品や液改質材を本体部に収容する際、内部収容スペース内にそのままの状態で、あるいは液体の流通可能な包装紙等で所定量を包んだパック詰め（分包）状態で投入することができる。さらに、本体部の内部収容スペースや飲料ボトルの内部へ非包装状態で投入する場合、計量スプーンを用いたり、飲料ボトル装着用飲用アタッチメントの開口形成円筒部や飲料ボトルの開口円筒部に挿入した漏斗を用いたりすると便利である。
【図面の簡単な説明】
【００４１】
【図１】本考案に係るケースアタッチメントを装着したペットボトルの一例を示す正面断面図。
【図２】本考案に係るケースアタッチメントの第一例を示す分解斜視図。
【図３】図２の平面図。
【図４】図２の正面断面図。
【図５】図３の変形例を示す平面図。
【図６】図５の正面断面図。
【図７】本考案に係るケースアタッチメント及び飲用アタッチメントを装着したペットボトルの一例を示す正面断面図。
【図８】本考案に係るケースアタッチメントの第二例を示す分解斜視図。
【図９】図８の平面図。
【図１０】図８の正面断面図。
【図１１】図９の変形例を示す平面図。
【図１２】図１１の正面断面図。
【図１３】本考案に係るケースアタッチメント及び飲用アタッチメントを装着したペットボトルの他の例を示す正面断面図。
【図１４】本考案に係るケースアタッチメントの第三例を示す正面図。
【図１５】図１４の平面図。
【図１６】図１４の正面断面図。
【図１７】図１６から蓋部を開放した状態の正面断面図。
【図１８】図１６の第一変形例を示す正面断面図。
【図１９】図１６の第二変形例を示す正面断面図。
【図２０】本考案に係るケースアタッチメントの第四例を示す平面図。
【図２１】図２０の正面断面図。
【図２２】本考案に係るケースアタッチメントの第五例を示す正面断面図。
【図２３】図２２の変形例を示す正面断面図。
【図２４】本考案に係るケースアタッチメントの第六例を示す正面断面図。
【図２５】図２４の第一変形例を示す正面断面図。
【図２６】図２４の第二変形例を示す正面断面図。
【考案を実施するための形態】
【００４２】
（実施例１）
以下、本考案の実施形態を図面を参照しつつ説明する。図１は本考案に係るケースアタッチメントを装着したペットボトルの一例を示す正面断面図である。また、図２は本考案に係るケースアタッチメントの第一例を示す分解斜視図、図３はその平面図、図４は同じく正面断面図である。図１に示す飲料ボトル装着用収容ケースアタッチメント（以下、単にケースアタッチメントともいう）１０は、ペットボトルＢ（飲料ボトル）の上部に開口として形成された開口円筒部Ｎに着脱可能に装着される。具体的には、このケースアタッチメント１０は、取付け円筒部１と筒状部３とボトルキャップＣ（蓋部）とを備えている。
【００４３】
取付け円筒部１の内周面には、ペットボトルＢの開口円筒部Ｎの外周面に形成された雄ねじ部ＢＳと螺合する雌ねじ部２が形成されている。筒状部３は円筒状に形成され、ペットボトルＢの開口円筒部Ｎに装着された取付け円筒部１から同心的かつ一体的に外向き（開口円筒部Ｎから遠ざかる方向；図１では上方側）に突出している。この筒状部３の突出側端部の外周面には、ペットボトルＢのボトルキャップＣの内周面に形成された雌ねじ部ＣＳと螺合する雄ねじ部３Ｓが形成されている。なお、取付け円筒部１と筒状部３とを合成樹脂材料により一体成形してもよい。
【００４４】
図２〜図４に示すように、筒状部３には、その内部空間を軸方向に区分する仕切壁４ａが設けられている。突出側の開口をボトルキャップＣで閉鎖することにより、筒状部３の内部には、この仕切壁４ａを底とし、飲食品、栄養補助食品、医薬品、硬貨、小型医療器具等の小物類（例えば抽出用の茶葉Ｔ（抽出用食品））を収納するための収容空間４ｂを有する収容部４が形成される。取付け円筒部１の雌ねじ部２が開口円筒部Ｎの雄ねじ部ＢＳに螺合したとき、仕切壁４ａはペットボトルＢの上部開口を閉鎖する機能を有する（図１参照）。また、ボトルキャップＣは、筒状部３の突出側に形成される開口及び上記収容空間４ｂを閉鎖する機能を有している。
【００４５】
なお、ＣＫは、筒状部３の雄ねじ部３ＳとボトルキャップＣの雌ねじ部ＣＳとを螺合する際に手指を掛けることができるように、ボトルキャップＣの外周面に形成されたローレット等の刻み目（指掛部）である。一方、筒状部３の上部外周面には、全周にわたって径方向外側に延出するフランジ部３Ｚが形成されている。このフランジ部３Ｚは、筒状部３の雄ねじ部３ＳとボトルキャップＣの雌ねじ部ＣＳとが螺合する際には、ボトルキャップＣの端面を受け止めることができ、また、ペットボトルＢの雄ねじ部ＢＳと取付け円筒部１の雌ねじ部２とを螺合する際には、手指を掛けることができる。
【００４６】
したがって、図１に示すペットボトルＢを使用するとき、次の２形態に変更可能である。
【００４７】
（１）本来の使用形態
開口円筒部Ｎの外周面に形成された雄ねじ部ＢＳに、ボトルキャップＣの内周面に形成された雌ねじ部ＣＳが螺合する（図示省略）。
（２）ケースアタッチメント使用形態
ペットボトルＢの雄ねじ部ＢＳにケースアタッチメント１０（取付け円筒部１）の雌ねじ部２が螺合し、ケースアタッチメント１０（筒状部３）の雄ねじ部３ＳにボトルキャップＣの雌ねじ部ＣＳが螺合する。
【００４８】
このように、ケースアタッチメント１０は、ペットボトルＢにおけるボトルキャップＣの代役としての機能と、茶葉Ｔ等の小物類を収納する機能とを同時に達成することができる。したがって、上記小物類をペットボトルＢとともに携行したり保管したりできるので、利便性が向上するとともに、小物類の紛失を防止することもできる。しかも、ケースアタッチメント１０とボトルキャップＣとを共用するだけの簡素な構成によって、ケースアタッチメント使用形態と本来の使用形態とに変更可能となり、利便性が一層向上する。また、ペットボトルＢやボトルキャップＣの再利用効率を高め、資源の有効活用に資することができる。
【００４９】
さらに、仕切壁４ａがペットボトルＢの上部開口を完全閉鎖することにより、ボトルキャップＣと同様に、ペットボトルＢ内の液体の外部への漏れ出しを阻止できるので、茶葉Ｔ等の小物類を収容部４へ安全に収納できる。
【００５０】
（変形例）
図５は図３（実施例１）の変形例を示す平面図、図６はその正面断面図である。図５及び図６では、ケースアタッチメント１０（飲料ボトル装着用収容ケースアタッチメント）の蓋部として、ボトルキャップに代わり専用キャップ５が用いられている。この専用キャップ５の天井壁外面（上面）には、天井壁周縁部の任意位置から軸方向突出側（上方）に延び、方向転換して周方向で約１８０°ずれた位置で天井壁周縁部に戻ることにより、ほぼ半円のリング状を呈する膨出部５Ｍ（指掛部）が一体的に形成されている。また、専用キャップ５の天井壁外面（上面）には、ほぼ円形状の凹部をなす意匠部６も形成されている。意匠部６には、文字、図形等を刻設した表示板を埋め込んだり、これらを表示した表示シールや表示ラベルを貼り付けたり、あるいはこれらが凹部から浮き出るように一体成形したりすることによって、オリジナルな専用キャップ５を提供することができる。
【００５１】
この例では、筒状部３の雄ねじ部３Ｓと専用キャップ５の雌ねじ部５Ｓとを螺合する際に、膨出部５Ｍのリング状部分に手指を掛けやすく（通しやすく）なる。また、専用キャップ５の膨出部５Ｍや意匠部６には、通常のボトルキャップとは異なる特殊なデザイン形状や色彩を付加することによって、例えば、オリジナルマイボトル運動やボトルキャップ回収運動の一層の促進を図り、ペットボトルやボトルキャップの再利用効率を高め、資源の有効活用に資することができる。
【００５２】
（実施例２）
図７は本考案に係るケースアタッチメント及び飲用アタッチメントを装着したペットボトルの一例を示す正面断面図である。また、図８は本考案に係るケースアタッチメントの第二例を示す分解斜視図、図９はその平面図、図１０は同じく正面断面図である。図７に示す飲料ボトル装着用飲用アタッチメント（以下、単に飲用アタッチメントともいう）１００は、ペットボトルＢ（飲料ボトル）の上部に開口として形成された開口円筒部Ｎに着脱可能に装着される。具体的には、この飲用アタッチメント１００は、雌ねじ付き円筒部１０１と本体部１０３と開口形成円筒部１０４とを備えている。
【００５３】
雌ねじ付き円筒部１０１の内周面には、ペットボトルＢの開口円筒部Ｎの外周面に形成された雄ねじ部ＢＳと螺合する雌ねじ部１０２が形成されている。本体部１０３は、雌ねじ付き円筒部１０１の雌ねじ部１０２が開口円筒部Ｎの雄ねじ部ＢＳに螺合した状態で、本体開口部１０３ａの外周面が開口円筒部Ｎの内側に位置するとともに、雌ねじ付き円筒部１０１からペットボトルＢの内部に向かって、雌ねじ付き円筒部１０１と同心的かつ一体的に延びている。この本体部１０３は、内外間において水、抽出液等の液体Ｗの進入を許容しつつ一定以上の大きさの固体（例えば茶殻ＴＬ等の残渣）の通過を阻止する。
【００５４】
そのために、本体部１０３は、本体開口部１０３ａを含む筒状（例えば円筒状）の周壁部と、その下端にてドーム状（例えば半球状）に閉塞する先端（下端）部とが一体成形され、周壁部と先端部とにそれぞれ多数の貫通孔１０３ｂ（例えば直径１〜ｍｍ）が形成された多孔部として構成されている。開口形成円筒部１０４は、雌ねじ付円筒部１０１からこれと同心的かつ一体的に、本体部１０３とは反対へ突出している。この開口形成円筒部１０４の外周面には、取付け円筒部１の内周面に形成された雌ねじ部２（又は専用キャップ５（蓋部）の内周面に形成された雌ねじ部５Ｓ）と螺合する雄ねじ部１０５が形成されている。
【００５５】
一方、図８〜図１０に示す飲料ボトル装着用収容ケースアタッチメント（以下、単にケースアタッチメントともいう）１０は、飲用アタッチメント１００の開口形成円筒部１０４に着脱可能に装着される（図７参照）。具体的には、このケースアタッチメント１０は、取付け円筒部１と筒状部３と専用キャップ５（蓋部）とを備えている。
【００５６】
取付け円筒部１の内周面には、飲用アタッチメント１００の開口形成円筒部１０４の外周面に形成された雄ねじ部１０５（図７参照）と螺合する雌ねじ部２が形成されている。筒状部３は円筒状に形成され、飲用アタッチメント１００の開口形成円筒部１０４に装着された取付け円筒部１から同心的かつ一体的に外向き（開口形成円筒部１０４から遠ざかる方向；図７では上方側）に突出している。この筒状部３の突出側端部の外周面には、専用キャップ５の内周面に形成された雌ねじ部５Ｓと螺合する雄ねじ部３Ｓが形成されている。なお、専用キャップ５の膨出部５Ｍは、周壁における周方向の全部又は一部を、周壁の外周面から半径方向外方へ向かって膨出することによって形成されている。この実施例では径方向の２ヶ所に膨出部５Ｍを形成しているが、全周にわたって膨出部５Ｍを形成してもよい。
【００５７】
したがって、図７に示すペットボトルＢを使用するとき、次の３形態に変更可能である。
【００５８】
（１）本来の使用形態
開口円筒部Ｎの外周面に形成された雄ねじ部ＢＳに、ボトルキャップＣの内周面に形成された雌ねじ部ＣＳが螺合する（図示省略）。
（２）ケースアタッチメント使用形態
ペットボトルＢの雄ねじ部ＢＳにケースアタッチメント１０（取付け円筒部１）の雌ねじ部２が螺合し、ケースアタッチメント１０（筒状部３）の雄ねじ部３Ｓに専用キャップ５の雌ねじ部５Ｓが螺合する（図１参照）。
（３）付加的なアタッチメント使用形態
ペットボトルＢの雄ねじ部ＢＳに、飲用アタッチメント１００の雌ねじ付き円筒部１０１の雌ねじ部１０２が螺合する。さらに、飲用アタッチメント１００の開口形成円筒部１０４の雄ねじ部１０５に、ケースアタッチメント１０の取付け円筒部１の雌ねじ部２が螺合するとともに、ケースアタッチメント１０の筒状部３の雄ねじ部３Ｓに、専用キャップの雌ねじ部５Ｓが螺合する。
【００５９】
このように、専用キャップ５を含むケースアタッチメント１０と、飲用アタッチメント１００とを共用するだけの簡素な構成によって、ケースアタッチメント使用形態及び本来の使用形態に加えて、付加的なアタッチメント使用形態にも変更可能となり、利便性がますます向上する。つまり、付加的なアタッチメント使用形態では、専用キャップ５を含むケースアタッチメント１０を取り外すことによって、ペットボトルＢ内の液体（例えば、ペットボトルＢ内で茶葉Ｔ等の抽出用食品から抽出した抽出液Ｗ）を飲用アタッチメント１００を介して飲用することができる。また、膨出部５Ｍにより、筒状部３の雄ねじ部３Ｓと専用キャップ５の雌ねじ部５Ｓとを螺合する際に、手指を掛けやすくなる。
【００６０】
（変形例）
図１１は図９（実施例２）の変形例を示す平面図、図１２はその正面断面図である。図１１及び図１２に示すケースアタッチメント１０（飲料ボトル装着用収容ケースアタッチメント）の専用キャップ５（蓋部）にも、図１の変形例（図５，図６参照）と類似した形態の膨出部５Ｍ（指掛部）及び意匠部６が形成されている。
【００６１】
したがって、この変形例においても、筒状部３の雄ねじ部３Ｓと専用キャップ５の雌ねじ部５Ｓとを螺合する際に、膨出部５Ｍのリング状部分に手指を掛けやすく（通しやすく）なる。また、専用キャップ５の膨出部５Ｍや意匠部６には、通常のボトルキャップとは異なる特殊なデザイン形状や色彩を付加することによって、例えば、オリジナルマイボトル運動やボトルキャップ回収運動の一層の促進を図り、ペットボトルやボトルキャップの再利用効率を高め、資源の有効活用に資することができる。
【００６２】
（実施例３）
図１３は本考案に係るケースアタッチメント及び飲用アタッチメントを装着したペットボトルの他の例を示す正面断面図である。また、図１４は本考案に係るケースアタッチメントの第三例を示す正面図、図１５はその平面図、図１６は同じく正面断面図である。
【００６３】
図１３に示す飲料ボトル装着用飲用アタッチメント（以下、単に飲用アタッチメントともいう）１００は、図７（実施例２）と同様である。一方、図１４〜図１６に示す飲料ボトル装着用収容ケースアタッチメント（以下、単にケースアタッチメントともいう）１０は、飲用アタッチメント１００の開口形成円筒部１０４に着脱可能に装着される（図１３参照）。具体的には、このケースアタッチメント１０は、取付け円筒部１と筒状部３と専用キャップ５（蓋部）とを備えている。
【００６４】
取付け円筒部１の内周面には、飲用アタッチメント１００の開口形成円筒部１０４の外周面に形成された雄ねじ部１０５（図１３参照）と螺合する雌ねじ部２が形成されている。筒状部３は円筒状に形成され、飲用アタッチメント１００の開口形成円筒部１０４に装着された取付け円筒部１から同心的かつ一体的に外向き（開口形成円筒部１０４から遠ざかる方向；図１３では上方側）に突出している。筒状部３の突出側端部及び専用キャップ５の周壁には、弾性変形によって嵌合する嵌合部３Ｆ，５Ｆがそれぞれ形成され、互いに分離可能に一体化されている。具体的には、筒状部３の外周面に形成された筒状部側嵌合部３Ｆ（嵌合部）と、専用キャップ５の内周面に形成されたキャップ側嵌合部５Ｆ（嵌合部）とが弾性変形可能に嵌合し、いわゆるなつめ（棗）蓋方式（周面嵌合方式）で構成されている。
【００６５】
また、専用キャップ５の周壁の外周面から半径方向外方へ向かって、周壁における一部を突出することによって、突出部５Ｈ（把持部）が一体形成されている。さらに、専用キャップ５は、突出部５Ｈとは周方向の反対側において、柔軟性を有する帯状又は紐状の連結体５Ｃ（連結部）を介して、筒状部３の突出側端部と連結されている。したがって、筒状部３との嵌合を解除する際に、突出部５Ｈを手指で把持し、連結体５Ｃを支点にして専用キャップ５を回動すると、筒状部３の突出側開口が開放される（図１７参照）。
【００６６】
この実施例では、専用キャップ５の周壁外面に突出部５Ｈを形成することによって、専用キャップ５（キャップ側嵌合部５Ｆ）の嵌合解除操作が容易に行える。また、キャップ側嵌合部５Ｆの嵌合解除操作に伴い、専用キャップ５を散逸することがない。なお、取付け円筒部１、筒状部３及び専用キャップ５は、合成樹脂材料における二色成形等の手法を用いて、一体成形してもよい。
【００６７】
（変形例）
図１８は図１６（実施例３）の第一変形例を示す正面断面図、図１９は同じく第二変形例を示す正面断面図である。図１８（第一変形例）では、筒状部３の内周面に形成された筒状部側嵌合部３Ｆ（嵌合部）と、専用キャップ５（蓋部）の外周面に形成されたキャップ側嵌合部５Ｆ（嵌合部）とが弾性変形可能に嵌合し、いわゆる落し蓋方式（周面嵌合方式）で構成されている。一方、図１９（第二変形例）では、筒状部３の端面において断続的に形成された凸部３Ｆ１（筒状部側嵌合部；嵌合部）と、専用キャップ５の端面において断続的に形成された凹部５Ｆ１（キャップ側嵌合部；嵌合部）とが嵌合するとともに、筒状部３の端面において断続的に形成された凹部３Ｆ２（筒状部側嵌合部；嵌合部）と、専用キャップ５の端面において断続的に形成された凸部５Ｆ２（キャップ側嵌合部；嵌合部）とが嵌合し、端面嵌合方式で構成されている。
【００６８】
したがって、これらの変形例においても、専用キャップ５の嵌合解除操作が容易に行える。なお、図１９（端面嵌合方式）において、筒状部３の端面には全周にわたり凸部３Ｆ１又は凹部３Ｆ２を形成し、専用キャップ５の端面には全周にわたり凹部５Ｆ１又は凸部５Ｆ２を形成し、両者を弾性変形可能に嵌合してもよい。
【００６９】
（実施例４）
図２０は本考案に係るケースアタッチメントの第四例を示す平面図、図２１はその正面断面図である。図２０，図２１に示す飲料ボトル装着用収容ケースアタッチメント（以下、単にケースアタッチメントともいう）１０では、専用キャップ５の周壁と筒状部３とが、軸方向に対して斜めに交差する方向にカットされているので、これらの開口部は楕円形状となる。したがって、別体に形成された筒状部３と専用キャップ５（蓋部）とは、楕円形状に形成された嵌合部３Ｆ，５Ｆにより、弾性変形可能に嵌合する。なお、専用キャップ５の天井壁はドーム状（例えば半球状）に閉塞している。
【００７０】
この実施例では、専用キャップ５の周壁に斜め方向の切り口（楕円形状の開口部）が形成されるので、例えば、収容部４に収納された茶葉Ｔ等の抽出用食品をペットボトルＢへ投入するときに、計量スプーンや計量カップとして専用キャップ５を利用できる。
【００７１】
（実施例５）
図２２は本考案に係るケースアタッチメントの第五例を示す正面断面図である。図２２に示す飲料ボトル装着用収容ケースアタッチメント（以下、単にケースアタッチメントともいう）１０では、収容部４が仕切壁４ａと収容空間４ｂとを有する区画筒状部３１，３２を形成し、筒状部３は、複数（例えば２個）の区画筒状部３１，３２が軸方向に積層された状態でペットボトルＢ（飲料ボトル）の開口円筒部Ｎに装着される（図１，図７，図１３参照）。つまり、図２２では、下段の区画筒状部３１と上段の区画筒状部３２とを上下２段に重ねることによって、筒状部３を形成している。
【００７２】
上下の区画筒状部３１，３２には、螺合によって嵌合するねじ嵌合部３１Ｓ，３２Ｓがそれぞれ形成され、互いに分離可能に一体化されている。具体的には、下段の区画筒状部３１の外周面に雄ねじ３１Ｅ（ねじ嵌合部３１Ｓ）、上段の区画筒状部３２の内周面に雌ねじ３２Ｉ（ねじ嵌合部３２Ｓ）がそれぞれ形成されている。また、各々の区画筒状部３１，３２の外周面には、隣接する区画筒状部３２，３１と螺合する際に手指を掛けるための区画膨出部３１Ｍ，３２Ｍ（区画指掛部）が形成されている。
【００７３】
なお、ペットボトルＢの雄ねじ部ＢＳは、下段の区画筒状部３１と一体形成される取付け円筒部１の雌ねじ部２と螺合し（図１，図７，図１３参照）、専用キャップ５（蓋部）の雌ねじ部５Ｓは上段の区画筒状部３２の雄ねじ部３Ｓと螺合する。
【００７４】
この実施例では、上段の区画筒状部３２の外周面には、半径方向外方へ向かって膨出する区画膨出部３２Ｍ（区画指掛部）が径方向の２ヶ所に形成されているが、全周にわたって区画膨出部３２Ｍを形成してもよい。また、下段の区画筒状部３１では、全周にわたって径方向外側に延出するフランジ部３Ｚが区画膨出部３１Ｍ（区画指掛部）に相当する。
【００７５】
このように、複数の小物類を異なる区画筒状部３１，３２にそれぞれ収納できるので、あたかも整理ダンスのように、例えば茶葉Ｔ等の抽出用食品を種類別・品目別に仕分けして保管することができる。その際、ねじ嵌合部３１Ｓ，３２Ｓを着脱する（螺合したり螺合解除したりする）ことによって、隣り合う区画筒状部３１，３２の取付け・取外しが容易に行える。これによって、小物類の出し入れが容易に行えるとともに、ペットボトルＢに装着する区画筒状部３１，３２の数を必要数（使用数）に応じて増減することも可能となるので、利便性がさらに向上する。また、区画筒状部３１，３２の外周面に区画膨出部３１Ｍ，３２Ｍを形成することによって、隣接する区画筒状部３２，３１との螺合（又は螺合解除）操作が容易に行える。
【００７６】
（変形例）
図２３は図２２（実施例５）の変形例を示す正面断面図である。図２３に示すケースアタッチメント１０（飲料ボトル装着用収容ケースアタッチメント）の筒状部３では、下段の区画筒状部３１の内周面に雌ねじ３１Ｉ（ねじ嵌合部３１Ｓ）、上段の区画筒状部３２の外周面に雄ねじ３２Ｅ（ねじ嵌合部３２Ｓ）がそれぞれ形成されている。
【００７７】
したがって、この変形例においても、ねじ嵌合部３１Ｓ，３２Ｓを着脱する（螺合したり螺合解除したりする）ことによって、隣り合う区画筒状部３１，３２の取付け・取外しが容易に行える。これによって、小物類の出し入れが容易に行えるとともに、ペットボトルＢに装着する区画筒状部３１，３２の数を必要数（使用数）に応じて増減することも可能となるので、利便性がさらに向上する。
【００７８】
（実施例６）
図２４は本考案に係るケースアタッチメントの第六例を示す正面断面図である。図２４に示す飲料ボトル装着用収容ケースアタッチメント（以下、単にケースアタッチメントともいう）１０の筒状部３において、上下の区画筒状部３１，３２には、弾性変形によって嵌合する区画嵌合部３１Ｆ，３２Ｆがそれぞれ形成され、互いに分離可能に一体化されている。具体的には、下段の区画筒状部３１の外周面に形成された下段嵌合部３１Ｆ（区画嵌合部）と、上段の区画筒状部３２の内周面に形成された上段嵌合部３２Ｆ（区画嵌合部）とが弾性変形可能に嵌合し、いわゆるなつめ（棗）蓋方式（周面嵌合方式）で構成されている。
【００７９】
また、上段の区画筒状部３２には、周壁の外周面から半径方向外方へ向かって、周壁における一部を突出することによって、区画突出部３２Ｈ（区画把持部）が一体形成されている。さらに、上段の区画筒状部３２は、区画突出部３２Ｈとは周方向の反対側において、柔軟性を有する帯状又は紐状の区画連結体３２Ｃ（区画連結部）を介して、下段の区画筒状部３１と連結されている。したがって、下段の区画筒状部３１との嵌合を解除する際に、区画突出部３２Ｈを手指で把持し、区画連結体３２Ｃを支点にして上段の区画筒状部３２を回動すると、下段の区画筒状部３１の突出側開口が開放される。
【００８０】
なお、専用キャップ５（蓋部）は、突出部５Ｈ（把持部）とは周方向の反対側において、柔軟性を有する帯状又は紐状の連結体５Ｃ（連結部）を介して、上段の区画筒状部３２と連結されている。よって、上段の区画筒状部３２との嵌合を解除する際に、突出部５Ｈを手指で把持し、連結体５Ｃを支点にして専用キャップ５を回動すると、上段の区画筒状部３２の突出側開口が開放される。
【００８１】
このように、区画嵌合部３１Ｆ，３２Ｆを着脱する（嵌合したり嵌合解除したりする）ことによって、隣り合う区画筒状部３１，３２の取付け・取外しがワンタッチで行える。これによって、小物類の出し入れが容易に行えるとともに、ペットボトルＢに装着する区画筒状部３１，３２の数を必要数（使用数）に応じて増減することも可能となるので、利便性がさらに向上する。また、上段の区画筒状部３２の周壁外面に区画突出部３２Ｈを形成することによって、区画筒状部３２（上段嵌合部３２Ｆ）の嵌合解除操作が容易に行える。さらに、上段嵌合部３２Ｆの嵌合解除操作に伴い、区画筒状部３２を散逸することがない。なお、取付け円筒部１、区画筒状部３１，３２及び専用キャップ５は、合成樹脂材料における二色成形等の手法を用いて、一体成形してもよい。
【００８２】
（変形例）
図２５は図２４（実施例６）の第一変形例を示す正面断面図、図２６は同じく第二変形例を示す正面断面図である。図２５（第一変形例）では、下段の区画筒状部３１の内周面に形成された下段嵌合部３１Ｆ（区画嵌合部）と、上段の区画筒状部３２の外周面に形成された上段嵌合部３２Ｆ（区画嵌合部）とが弾性変形可能に嵌合し、いわゆる落し蓋方式（周面嵌合方式）で構成されている。一方、図２６（第二変形例）では、下段の区画筒状部３１の端面において断続的に形成された凸部３１Ｆ１（下段嵌合部；区画嵌合部）と、上段の区画筒状部３２の端面において断続的に形成された凹部３２Ｆ１（上段嵌合部；区画嵌合部）とが嵌合するとともに、下段の区画筒状部３１の端面において断続的に形成された凹部３１Ｆ２（下段嵌合部；区画嵌合部）と、上段の区画筒状部３２の端面において断続的に形成された凸部３２Ｆ２（上段嵌合部；区画嵌合部）とが嵌合し、端面嵌合方式で構成されている。
【００８３】
したがって、これらの変形例においても、上段の区画筒状部３２の嵌合解除操作が容易に行える。なお、図１９（端面嵌合方式）において、下段の区画筒状部３１の端面には全周にわたり凸部３１Ｆ１又は凹部３１Ｆ２を形成し、上段の区画筒状部３２の端面には全周にわたり凹部３２Ｆ１又は凸部３２Ｆ２を形成し、両者を弾性変形可能に嵌合してもよい。
【００８４】
実施例２（図７〜図１２）、実施例３（図１３〜図１９）、実施例４（図２０，図２１）、実施例５（図２２，図２３）、実施例６（図２４〜図２６）において実施例１（図１〜図６）と共通する機能を有する部分にはそれぞれ同一符号を付して説明を省略したものがある。
【００８５】
なお、以上の実施例において、本考案に係る飲料ボトル装着用収容ケースアタッチメント及び飲料ボトル装着用飲用アタッチメントは、飲用後のペットボトルに限らず、飲料を充填するための未使用の飲料ボトル等にも適用できる。また、各実施例及び変形例は、技術的な矛盾を生じない範囲において、互いに組み合わせて使用することもできる。
【符号の説明】
【００８６】
１        取付け円筒部
２        雌ねじ部
３        筒状部
３Ｆ      筒状部側嵌合部（嵌合部）
３Ｓ      雄ねじ部
３Ｚ      フランジ部
３１，３２  区画筒状部
３１Ｓ，３２Ｓ  ねじ嵌合部
３１Ｍ，３２Ｍ  区画膨出部（区画指掛部）
３１Ｆ，３２Ｆ  区画嵌合部
３２Ｈ    区画突出部（区画把持部）
３２Ｃ    区画連結体（区画連結部）
４        収容部
４ａ      仕切壁
４ｂ      収容空間
５        専用キャップ（蓋部）
５Ｆ      キャップ側嵌合部（嵌合部）
５Ｓ      雌ねじ部
５Ｍ      膨出部（指掛部）
５Ｈ      突出部（把持部）
５Ｃ      連結体（連結部）
６        意匠部
１０      ケースアタッチメント（飲料ボトル装着用収容ケースアタッチメント）
１００    飲用アタッチメント（飲料ボトル装着用飲用アタッチメント）
１０１    雌ねじ付き円筒部
１０２    雌ねじ部
１０３    多孔部（本体部）
１０３ａ  本体開口部
１０３ｂ  貫通孔
１０４    開口形成円筒部
１０５    雄ねじ部
Ｂ        ペットボトル（飲料ボトル）
ＢＳ      雄ねじ部
Ｃ        ボトルキャップ（蓋部）
ＣＳ      雌ねじ部
ＣＫ      刻み目（指掛部）
Ｎ        開口円筒部
Ｔ        茶葉（抽出用食品）
ＴＬ      茶殻（残渣；固体）
Ｗ        抽出液（液体）
【図１】
0003164925.tif 000003
【図２】
0003164925.tif 000004
【図３】
0003164925.tif 000005
【図４】
0003164925.tif 000006
【図５】
0003164925.tif 000007
【図６】
0003164925.tif 000008
【図７】
0003164925.tif 000009
【図８】
0003164925.tif 000010
【図９】
0003164925.tif 000011
【図１０】
0003164925.tif 000012
【図１１】
0003164925.tif 000013
【図１２】
0003164925.tif 000014
【図１３】
0003164925.tif 000015
【図１４】
0003164925.tif 000016
【図１５】
0003164925.tif 000017
【図１６】
0003164925.tif 000018
【図１７】
0003164925.tif 000019
【図１８】
0003164925.tif 000020
【図１９】
0003164925.tif 000021
【図２０】
0003164925.tif 000022
【図２１】
0003164925.tif 000023
【図２２】
0003164925.tif 000024
【図２３】
0003164925.tif 000025
【図２４】
0003164925.tif 000026
【図２５】
0003164925.tif 000027
【図２６】
0003164925.tif 000028